(57)【要約】【課題】ハードコンタクトレンズ（ＨＣＬ）用収納ケースにおいて、ＨＣＬのレンズ収納室への出し入れに際し、ＨＣＬの変形が可及的に回避されると共に、ＨＣＬの内面側に指先が触れることなく、従って指先の汚れや細菌がＨＣＬ内面に付着することなく、ＨＣＬの装用を有利に行うことが出来るＨＣＬ用収納ケースを提供する。【解決手段】レンズホルダ１６におけるホルダ本体２２のレンズ配置面２６ａとの間にレンズ収納室２０を形成すると共に、レンズ操作用切欠き部３８が設けられてなる変形の容易なホルダカバー２４を備え、レンズ摺動案内面２６ｂに載置されるＨＣＬ１８が、指先による押圧移動作用によって摺動され、ホルダカバー２４の先端部を押し上げるようにして内部に押し入れられ、レンズ操作用切欠き部に沿って案内されてレンズ収納室２０内のレンズ配置面２６ａ上に移動せしめられるようにした。【選択図】図２
2018075253.tif 000002
【特許請求の範囲】
【請求項１】
所定の液体が収容される有底筒形状の容器本体と、該容器本体の開口部に着脱可能に取り付けられて、該容器本体の内部に密閉空間を形成し得るキャップ部材と、該キャップ部材の内側に固設されて、該キャップ部材から垂下するように延び、前記容器本体の内部に挿入される、ハードコンタクトレンズが収納、保持されるレンズ収納室を備えたレンズホルダとを有するハードコンタクトレンズの収納ケースにして、
前記レンズホルダが、（ａ）前記ハードコンタクトレンズが摺動により案内されて、位置せしめられる基部側のレンズ配置面と、このレンズ配置面に連設され、該ハードコンタクトレンズが載置されて摺動せしめられることにより、該レンズ配置面上に移動させられる先端側のレンズ摺動案内面とを有する平坦面が、前記垂下する方向に形成された、前記キャップ部材に対して固設される縦長のホルダ本体と、（ｂ）該ホルダ本体の平坦面を構成する前記レンズ配置面の形成部位において、該形成部位との間に所定の空間を形成し得るように該レンズ配置面を覆い、且つ該所定の空間を閉じるように円弧状に湾曲させられて、前記平坦面上に位置する先端部が、該平坦面から離隔させられ得るように、該ホルダ本体に取り付けられて、該ホルダ本体のレンズ配置面との間において前記レンズ収納室を形成すると共に、前記ハードコンタクトレンズのレンズ径よりも小さな開口幅において前記先端部に開口し、基部側に延びるレンズ操作用切欠き部が設けられて、かかるレンズ操作用切欠き部の少なくとも前記先端部に位置する開口部位の両側部分が変形容易とされてなるホルダカバーとを備え、前記ホルダ本体のレンズ摺動案内面に載置されるハードコンタクトレンズが、指先による押圧移動作用によって摺動せしめられて、前記ホルダカバーの先端部から該先端部を押し上げるようにして内部に押し入れられ、そして前記レンズ操作用切欠き部に沿った指先の移動によって案内されて、前記レンズ収納室内の前記レンズ配置面上に移動せしめられ得るようにしたことを特徴とするハードコンタクトレンズ用収納ケース。
【請求項２】
前記レンズホルダにおけるホルダカバー先端部の前記平坦面に対向する部位の外側角部が、少なくとも前記レンズ操作用切欠き部の開口部位において、外方に凸なる湾曲面にて構成されている請求項１に記載のハードコンタクトレンズ用収納ケース。
【請求項３】
前記レンズホルダを構成する前記ホルダ本体が、その幅方向中央部において、前記レンズ配置面から前記レンズ摺動案内面に至り、先端部において開口するように形成された所定幅の導液スリットを有している請求項１又は請求項２に記載のハードコンタクトレンズ用収納ケース。
【請求項４】
前記キャップ部材と前記レンズホルダのホルダ本体とが一体成形されてなる樹脂成形品にて、構成されている請求項１乃至請求項３の何れか１項に記載のハードコンタクトレンズ用収納ケース。
【請求項５】
前記レンズホルダにおける前記ホルダ本体の前記レンズ配置面の基部側部位に、前記レンズ収納室内の該レンズ配置面上に摺動せしめられた前記ハードコンタクトレンズの更なる移動を阻止するためのレンズストッパが、設けられている請求項１乃至請求項４の何れか１項に記載のハードコンタクトレンズ用収納ケース。
【請求項６】
前記レンズホルダを構成する前記ホルダ本体が、その両側部に、それぞれ長手方向に延びるように設けられたガイド溝を有している一方、かかるガイド溝に嵌入されて摺動せしめられる二つのガイド突起が、前記ホルダカバーの該ホルダ本体の両側部に対応する部位に設けられ、該ガイド突起が該ガイド溝に嵌入されて摺動せしめられ得るように、該ホルダカバーが該ホルダ本体に取り付けられるようになっている請求項１乃至請求項５の何れか１項に記載のハードコンタクトレンズ用収納ケース。
【請求項７】
前記ホルダ本体の平坦面を構成する前記レンズ摺動案内面が、該ホルダ本体の長手方向において、前記ハードコンタクトレンズのレンズ径の少なくとも７０％以上の長さにおいて、形成されている請求項１乃至請求項６の何れか１項に記載のハードコンタクトレンズ用収納ケース。
【請求項８】
前記レンズホルダを構成するホルダ本体が板状体部を有し、該板状体部の両側の面に、前記平坦面がそれぞれ形成されて、それら平坦面を構成する前記レンズ配置面上に形成される前記レンズ収納室内に、それぞれ、右用及び左用のハードコンタクトレンズが収納せしめられ得るようになっている請求項１乃至請求項７の何れか１項に記載のハードコンタクトレンズ用収納ケース。
【発明の詳細な説明】
【技術分野】
【０００１】
本発明は、ハードコンタクトレンズ用収納ケースに係り、特に、ハードコンタクトレンズの後面（内側）に触れることなく、ケースからの取り出しを有利に行い得るようにした収納ケースに関するものである。
【背景技術】
【０００２】
従来から、コンタクトレンズ（以下、ＣＬという）は、その装用中を除けば、容器内に収容された液体中に浸漬されて、保存されるようになっている。そして、ＣＬは、かかる容器内において、そこに収容された専用の液剤により、洗浄、消毒、表面濡れ性の改善等の作用（処理）を受け、次回の装用までの間に、レンズとしての機能の維持や回復が行われるようになっている。
【０００３】
ところで、そのような保存容器内に、目的とするＣＬを収容せしめるに際しては、かかる保存容器内からのＣＬの取り出しを容易と為すと共に、保存中は容器内でのＣＬの動きを制限することにより、安定的に且つ傷等が付かないように保持すべく、レンズ収納室を設けたホルダを用い、そのレンズ収納室内にＣＬを収納した形態において、容器内の液体中に浸漬せしめられるようになっているのであるが、特に、ＣＬの中でも、比較的剛性のある、形状保持性の良好なハードコンタクトレンズ（以下、ＨＣＬという）にあっても、それを保持するホルダについて、種々の提案が為されており、例えば、ＨＣＬが収納されるレンズ収納室については、実公平７−３１１５２号公報、実用新案登録第２５１２４５８号公報、実用新案登録第３１９３８８６号公報等において、その一つの形態が、明らかにされている。
【０００４】
すなわち、それら公報に提案されているホルダは、何れも、ＨＣＬの対応する周縁部が挿入、保持される溝を設けた一対の挟持アームを相対向して設けてなる、所謂チューリップ形状を呈するものであって、その一対の挟持アームの開口部を拡開するようにして、二本の指にて把持したＨＣＬを押し込んで、それら一対の挟持アーム間にＨＣＬを収納、保持せしめ、そしてその状態において、容器内に収容された液体中に浸漬されるようになっているのである。また、かかるＨＣＬの装用に際しては、ＨＣＬを二本の指にて把持した状態において、一対の挟持アーム間隙（開口部）が拡開されるように、引き出すことにより、ＨＣＬを取り出し、目的とする眼への装用が行われるようになっている。
【０００５】
しかしながら、そのような従来のレンズホルダにあっては、ＨＣＬの出し入れに際し、一対の挟持アームの開口部を弾性的に拡開、変形させる必要があり、そのために、ＨＣＬ自体も、一対の挟持アームによる挟圧作用によって変形作用を受けることとなり、それによって、レンズ自体が変形せしめられてなる形態において、その出し入れが行われているところから、ＨＣＬ自体に相当な負担が掛かり、レンズ特性に悪影響をもたらす恐れがあるものであった。また、かかるＨＣＬを、二本の指で摘まんで、一対の挟持アーム間に出し入れする際には、ＨＣＬの後面（内面）に装用者の指が触れることとなり、そのために指の汚れや細菌が、ＨＣＬの内面に付着するという問題が惹起される恐れも、内在するものであった。
【０００６】
一方、特開２０１３−７８４３７号公報においては、ＣＬ保存ケースとして、支持プレートのレンズ支持面上に、一対のガイド部を設けると共に、それら一対のガイド部の対向面に開口する一対のガイド溝を設けて、それら一対のガイド溝にＣＬを滑動させて、差し入れることにより、保持し得るようにしたホルダ構造が提案されているのであるが、そこでは、それら一対のガイド部が互いに平行に位置するように、従って一対のガイド溝も、互いに平行に位置するように設けられているところから、それら一対のガイド溝にＣＬを差し込んだだけでは、保存ケース内での収容液体の流動やかかる収容液体へのホルダの浸漬操作により、また保存ケースが反転した場合等において、ＣＬが一対のガイド溝から容易に抜け出す恐れがあり、そのために、何等かの抜止め手段を設けることが必要となることとなる。
【０００７】
このため、そこでは、そのような抜止め手段として、支持プレートに形成された貫通窓内に舌片状に延び出す弾性片に対して、突部が形成されることによって構成される抜止め突起や、支持プレートに形成された貫通窓内で、その対向縁部間に亘って設けられ、貫通窓の開口方向両側に、択一的に屈曲変形されて突出せしめられる屈曲板によって構成される抜止め突起が設けられて、この抜止め手段を解除した状態下において、ＣＬを差し入れたり、抜き出したりした後、再び抜止め手段を復帰させる構造が採用されているのであるが、レンズ径が８〜１１ｍｍ程度のＣＬを滑動させるレンズ支持面に、そのような抜止め手段を設けることは、その構造が極めて微細で、複雑となる他、その操作も面倒となるものであって、実用性に欠けるものであり、またその微細・複雑さの故に、保存ケースのコスト上昇を招く等の問題も内在するものであった。
【先行技術文献】
【特許文献】
【０００８】
【特許文献１】実公平７−３１１５２号公報
【特許文献２】実用新案登録第２５１２４５８号公報
【特許文献３】実用新案登録第３１９３８８６号公報
【特許文献４】特開２０１３−７８４３７号公報
【発明の概要】
【発明が解決しようとする課題】
【０００９】
ここにおいて、本発明は、かかる事情を背景にして為されたものであって、その解決課題とするところは、ＨＣＬ用収納ケースにおけるレンズホルダの改良された実用的な構造を提供することにあり、また他の課題とするところは、レンズホルダのレンズ収納室内への出し入れに際して、ＨＣＬの変形が可及的に回避され得るように為すと共に、ＨＣＬの内面側に指が触れることなく、従って指の汚れや細菌がＨＣＬ内面に付着する問題を惹起することなく、ＨＣＬの装用を有利に行い得るようにしたＨＣＬ用収納ケースを提供することにある。
【課題を解決するための手段】
【００１０】
そして、本発明にあっては、上記の課題を解決するために、所定の液体が収容される有底筒形状の容器本体と、該容器本体の開口部に着脱可能に取り付けられて、該容器本体の内部に密閉空間を形成し得るキャップ部材と、該キャップ部材の内側に固設されて、該キャップ部材から垂下するように延び、前記容器本体の内部に挿入される、ＨＣＬが収納、保持されるレンズ収納室を備えたレンズホルダとを有するＨＣＬの収納ケースにして、前記レンズホルダが、（ａ）前記ＨＣＬが摺動により案内されて、位置せしめられる基部側のレンズ配置面と、このレンズ配置面に連設され、該ＨＣＬが載置されて摺動せしめられることにより、該レンズ配置面上に移動させられる先端側のレンズ摺動案内面とを有する平坦面が、前記垂下する方向に形成された、前記キャップ部材に対して固設される縦長のホルダ本体と、（ｂ）該ホルダ本体の平坦面を構成する前記レンズ配置面の形成部位において、該形成部位との間に所定の空間を形成し得るように該レンズ配置面を覆い、且つ該所定の空間を閉じるように円弧状に湾曲させられて、前記平坦面上に位置する先端部が、該平坦面から離隔させられ得るように、該ホルダ本体に取り付けられて、該ホルダ本体のレンズ配置面との間において前記レンズ収納室を形成すると共に、前記ＨＣＬのレンズ径よりも小さな開口幅において前記先端部に開口し、基部側に延びるレンズ操作用切欠き部が設けられて、かかるレンズ操作用切欠き部の少なくとも前記先端部に位置する開口部位の両側部分が変形容易とされてなるホルダカバーとを備え、前記ホルダ本体のレンズ摺動案内面に載置されるＨＣＬが、指先による押圧移動作用によって摺動せしめられて、前記ホルダカバーの先端部から該先端部を押し上げるようにして内部に押し入れられ、そして前記レンズ操作用切欠き部に沿った指先の移動によって案内されて、前記レンズ収納室内の前記レンズ配置面上に移動せしめられ得るようにしたことを特徴とするＨＣＬ用収納ケースを、その要旨とするものである。
【００１１】
なお、本発明に従うＨＣＬ用収納ケースの望ましい態様の一つによれば、前記レンズホルダにおけるホルダカバー先端部の前記平坦面に対向する部位の外側角部が、少なくとも前記レンズ操作用切欠き部の開口部位において、外方に凸なる湾曲面にて構成されるようになっている。
【００１２】
また、本発明の他の望ましい態様によれば、前記レンズホルダを構成する前記ホルダ本体が、その幅方向中央部において、前記レンズ配置面から前記レンズ摺動案内面に至り、先端部において開口するように形成された所定幅の導液スリットを有している。
【００１３】
さらに、本発明の別の望ましい態様によれば、前記キャップ部材と前記レンズホルダのホルダ本体とが一体成形されてなる樹脂成形品にて、構成されている。
【００１４】
加えて、本発明にあっては、有利には、前記レンズホルダにおける前記ホルダ本体の前記レンズ配置面の基部側部位に、前記レンズ収納室内の該レンズ配置面上に摺動せしめられた前記ＨＣＬの更なる移動を阻止するためのレンズストッパが、設けられている。
【００１５】
そして、本発明に従うＨＣＬ用収納ケースの望ましい態様の異なる一つによれば、前記レンズホルダを構成する前記ホルダ本体が、その両側部に、それぞれ長手方向に延びるように設けられたガイド溝を有している一方、かかるガイド溝に嵌入されて摺動せしめられる二つのガイド突起が、前記ホルダカバーの該ホルダ本体の両側部に対応する部位に設けられ、該ガイド突起が該ガイド溝に嵌入されて摺動せしめられ得るように、該ホルダカバーが該ホルダ本体に取り付けられるようになっている。
【００１６】
また、本発明にあっては、有利には、前記ホルダ本体の平坦面を構成する前記レンズ摺動案内面が、該ホルダ本体の長手方向において、前記ＨＣＬのレンズ径の少なくとも７０％以上の長さにおいて、形成されている。
【００１７】
さらに、本発明の異なる他の望ましい態様によれば、前記レンズホルダを構成するホルダ本体が板状体部を有し、該板状体部の両側の面に、前記平坦面がそれぞれ形成されて、それら平坦面を構成する前記レンズ配置面上に形成される前記レンズ収納室内に、それぞれ、右用及び左用のＨＣＬが収納せしめられ得るようになっている。
【発明の効果】
【００１８】
このように、本発明に従うＨＣＬ用収納ケースにあっては、レンズホルダを構成するホルダ本体として、レンズ配置面とレンズ摺動案内面とが連設されてなる平坦面が長手方向に形成された縦長のホルダ本体が、用いられている一方、かかるレンズ本体のレンズ配置面を覆うように、且つ該平坦面上に位置する先端部が円弧形状とされて、該平坦面から隔離させられ得るように取り付けられて、かかるレンズ配置面との間にレンズ収納室を形成すると共に、ＨＣＬのレンズ径よりも小さな開口幅において先端部に開口するレンズ操作用切欠き部が設けられてなる変形の容易なホルダカバーが用いられて、対象とするＨＣＬが、ホルダ本体のレンズ摺動案内面から、指先による押圧移動作用によって摺動せしめられて、ホルダカバーの先端部から、それを押し上げるようにして内部に押し入れられ、そしてレンズ操作用切欠き部に沿って案内されて、レンズ収納室内のレンズ配置面上に移動せしめられ得るようになっているのである。このため、かかるＨＣＬの摺動移動に際しては、一本の指の指先にて、ホルダ本体の平坦面上を、ＨＣＬが効果的に摺動せしめられ得て、レンズ収納室内に容易に移動させられ得ることとなるのであり、そのために、ＨＣＬを二本の指にて把持する必要がないところから、ＨＣＬの内面に触れることもなく、その出し入れが出来ることとなって、指先の汚れや細菌がレンズ内面に付着する問題が、有利に回避され得るようになるのである。
【００１９】
しかも、レンズ収納室に対するＨＣＬの出し入れは、ホルダカバーの先端部を押し上げるようにして、ＨＣＬを摺動せしめることにより、実現され得ることとなるところから、従来の一対の挟持アームを用いた構造のように、それら一対の挟持アームの弾性力によって、ＨＣＬに、レンズ径方向の押圧力が作用することが効果的に回避され得るようになるのであり、それによって、ＨＣＬが変形作用を受ける問題も、可及的に回避され得ることとなったのである。
【００２０】
また、レンズ収納室内に収容、保持されるＨＣＬは、かかるレンズ収納室に通じるレンズ操作用切欠き部の開口幅が、ＨＣＬのレンズ径よりも小さくなるように構成されているところから、かかるレンズ操作用切欠き部を通じて、ＨＣＬが外部に抜け出すことも効果的に阻止され得ることとなるのであり、そのために、従来のホルダ構造における、特別の抜止め手段の配設も全く必要がなくなり、以て、レンズホルダの構造が有利に簡略化され得て、より実用的なホルダ構造を実現し得ることとなったのである。
【図面の簡単な説明】
【００２１】
【図１】本発明に従うＨＣＬ用収納ケースの一例に係るものの概略説明図であって、（ａ），（ｂ）及び（ｃ）は、それぞれ、その正面説明図、右側面説明図及び平面説明図であり、（ｄ）は、その斜視説明図である。
【図２】図１に示されるＨＣＬ用収納ケースの断面説明図であり、（ａ）及び（ｂ）は、それぞれ、図１（ａ）におけるＡ−Ａ断面説明図及びＢ−Ｂ断面説明図である。
【図３】図１に示されるＨＣＬ用収納ケースを構成する容器本体の説明図であって、（ａ）及び（ｂ）は、それぞれ、その正面説明図及び平面説明図であり、（ｃ）は、（ａ）におけるＣ−Ｃ断面説明図である。
【図４】図１に示されるＨＣＬ用収納ケースを構成するキャップとそれに一体的に設けられたホルダ本体を示す説明図であって、（ａ）は、その斜視説明図であり、（ｂ），（ｃ），（ｄ）及び（ｅ）は、それぞれ、その正面説明図、右側面説明図、平面説明図及び底面説明図である。
【図５】図４に示されるキャップとホルダ本体の一体化物の断面を示す説明図であって、（ａ）は、図４（ｂ）におけるＤ−Ｄ断面説明図であり、（ｂ）は、図４（ｃ）におけるＥ−Ｅ断面説明図である。
【図６】図１に示されるＨＣＬ用収納ケースを構成するレンズホルダにおけるホルダカバーについての説明図であって、（ａ）及び（ｂ）は、それぞれ、その異なる側の面を示す斜視説明図である。
【図７】図６に示されるホルダカバーの説明図であって、（ａ），（ｂ），（ｃ）及び（ｄ）は、それぞれ、その正面説明図、右側面説明図、平面説明図及び底面説明図であり、（ｅ）は、（ｂ）におけるＦ−Ｆ断面説明図である。
【図８】図１に示されるＨＣＬ用収納ケースを構成するキャップとレンズホルダの組付け状態を示す説明図であって、（ａ）は、それらの組付け体の斜視説明図であり、（ｂ）は、そのような組付け体の正面説明図である。
【図９】図８におけるレンズホルダのレンズ収納室に対するＨＣＬの収納工程を示す正面説明図であって、（ａ）はＨＣＬをレンズ摺動案内面に載置した状態を示し、（ｂ）はＨＣＬがレンズカバーの先端部を押し上げて入り込む途中の状態を示し、（ｃ）はＨＣＬがレンズカバー内に入り込んだ状態を示している。
【図１０】図８に示されるキャップとレンズホルダの組付け体を用いたＨＣＬの洗浄形態の一例を示す斜視説明図である。
【発明を実施するための形態】
【００２２】
以下に、本発明の構成を更に具体的に明らかにするために、本発明の代表的な実施形態について、図面に基づいて、詳細に説明することとする。
【００２３】
先ず、図１（ａ）〜（ｄ）及び図２（ａ），（ｂ）には、本発明に従うＨＣＬ用収納ケースの一例が示されている。そこにおいて、ＨＣＬ用収納ケース１０は、所定の液体が収容される有底筒形状の透明な容器本体１２と、この容器本体１２の上部開口部に対して螺合によって液密に且つ着脱可能に取り付けられて、かかる容器本体１２の内部に密閉空間を形成し得るキャップ１４と、このキャップ１４の内側に固設されて、かかるキャップ１４から垂下するように延びる、容器本体１２内に挿入されるレンズホルダ１６とから、構成されている。また、レンズホルダ１６には、図２から明らかな如く、装用者の左右の（左用及び右用）ＨＣＬ１８，１８をそれぞれ収納、保持する二つのレンズ収納室２０，２０が、形成されている。なお、容器本体１２内に収容される液体には、浸漬されるＨＣＬ１８に対して、洗浄、消毒、表面濡れ性の改善等の作用を為す、従来と同様な液体が、そのまま、用いられることとなる。
【００２４】
そして、かかるＨＣＬ用収納ケース１０において、キャップ１４の内側に固設されたレンズホルダ１６は、後ほど詳述することとするが、図２（ａ）に示される如く、キャップ１４の内側に一体的に形成された縦長のホルダ本体２２と、このホルダ本体２２に外嵌、固定された筒状のホルダカバー２４とから構成されており、容器本体１２に対するキャップ１４の螺着によって、かかる図面から明らかなように、容器本体１２内に収容されている液体中に、レンズホルダ１６が浸漬せしめられるようになっている。これによって、そのようなレンズホルダ１６に形成されたレンズ収納室２０内に収納、保持されたＨＣＬ１８も、容器本体１２の収容液体中に浸漬せしめられて、所望の処理が施されるようになっている。
【００２５】
ところで、上記せるＨＣＬ用収納ケース１０を構成する容器本体１２は、図３（ａ）〜（ｃ）に示されるように、キャップ１４が螺合せしめられる上部の開口部位を除く外周面が、全体として六角形状とされていると共に、その六角の稜部には、高さ方向の中央部よりもやや上方位置から上下方向に、それぞれカット面が形成されて、上下端部が十二角形状とされており［図１（ｃ）及び図３（ｂ）参照］、更に上部開口部の外周には、キャップ１４の螺合のための外側ネジ部１２ａが形成されている。また、この容器本体１２の内部には、円形の内部空間２５が形成されている。なお、このような容器本体１２は、ポリエチレン、ポリプロピレン、ポリカーボネート等の公知の樹脂材料を用いて、従来と同様にして、成形して得られたものである。
【００２６】
また、容器本体１２の上部開口部外周の外側ネジ部１２ａに螺合せしめられて、かかる上部開口部を閉塞するキャップ１４は、図４（ａ）〜（ｅ）及び図５（ａ），（ｂ）に示されるように、板状の天板部１４ａの外周部から所定高さ垂下する外周面が十二角形状とされた外周筒部１４ｂを有しており、この外周筒部１４ｂの内周面に設けられた内側ネジ部１４ｃが、容器本体１２の上部開口部の外周部に設けられた外側ネジ部１２ａに螺合せしめられることによって、容器本体１２内の上部開口部が液密に閉塞せしめられるようになっている。そして、かかるキャップ１４の天板部１４ａには、その内面（下面）の中央部において、径方向に所定長さに亘って位置するレンズホルダ１６を構成するホルダ本体２２が、一体的に設けられており、このホルダ本体２２に対して、後述するホルダカバー２４が取り付けられることによって、キャップ１４の内側に、レンズホルダ１６が立設されてなる形態となるように構成されている。なお、このキャップ１４とホルダ本体２２とは、容器本体１２と同様な樹脂を用いて、一体成形操作によって、一体樹脂成形品として形成されている。特に、ここでは、後述するように、ホルダ本体２２に設けられるレンズ配置面やレンズ摺動案内面の上をＨＣＬ１８が滑動させられるところから、それらキャップ１４とホルダ本体２２を構成する樹脂としては、滑りのよいものが望ましく、そのために、ポリプロピレンが好適に用いられることとなる。
【００２７】
そして、そのようなキャップ１４の天板部１４ａの内面に一体的に形成されてなるホルダ本体２２は、図４及び図５から明らかなように、キャップ１４の天板部１４ａに一体的に連結された基部２２ａと、この基部２２ａから更に下方に垂下する厚肉の板状体部２２ｂとから、構成されているのである。また、そこにおいて、基部２２ａは、図４の（ａ）や（ｅ）、図５（ａ）から明らかなように、対向する二つの円弧状の湾曲面を両側部において直線的に連結してなる略長円形状を呈するものであって、キャップ１４の外周筒部１４ｂの約１．５倍の高さで垂下しており、更に板状体部２２ｂは、かかる基部２２ａの両側部の直線部分よりも少し薄い厚さにおいて、かかる基部２２ａから一体的に所定長さ延び出し、先端部が半円形状の湾曲部とされている。そして、かかる板状体部２２ｂの両側の板面が平坦面とされて、ここでは、その基部２２ａ側の略半分の領域が、レンズ配置面２６ａとされている一方、その先端側に位置する残りの略半分に位置する領域が、レンズ摺動案内面２６ｂとされている。
【００２８】
なお、ホルダ本体２２における板状体部２２ｂの幅方向中央部位には、所定幅の導液スリット２８が、板状体部２２ｂの長手方向において基部２２ａに到達する長さにおいて設けられており、これによって、レンズ配置面２６ａ上に形成されるレンズ収納室２０内への液体の流通が容易に行われ得るようにして、そこに収納されるＨＣＬ１８の洗浄等の処理が有利に実施され得るようになっている。また、板状体部２２ｂの幅方向両側部には、図４の（ａ），（ｃ）及び（ｅ）や図５の（ｂ）等から明らかな如く、基部２２ａにおけるキャップ１４の外周筒部１４ｂの下端部に相当する部位まで延びるガイド溝３０，３０が、それぞれ、設けられている。加えて、基部２２ａと板状体部２２ｂとの接続部には、図４（ａ）〜（ｃ）や（ｅ）、更には図５（ａ）等から明らかなように、レンズストッパとしての二つの突起３２，３２が、導液スリット２８を間にして、板状体部２２ｂの両側の面に、それぞれ、形成されている。即ち、それら突起３２，３２は、レンズ配置面２６ａの基部２２ａ側に配置されており、後述するように、レンズ摺動案内面２６ｂから摺動せしめられて、レンズ配置面２６ａ上に移動させられたＨＣＬ１８が当接せしめられることによって、それ以上の移動が、阻止され得るようになっている。
【００２９】
また、かくの如き構造のホルダ本体２２に外嵌されて、組み付けられるホルダカバー２４は、図６（ａ），（ｂ）及び図７（ａ）〜（ｅ）に示されるように、全体としてホルダ本体２２の基部２２ａの断面形状に対応した、対向する二つの円弧状湾曲面を両側部で直線的に接続してなる形態の略長円形状を呈する筒状部を基部とする筒体として、形成されていると共に、その先端部は、かかる筒体の開口部を閉じるように円弧状に湾曲せしめられて、湾曲・閉塞形態部とされ、そこに、ホルダ本体２２の板状体部２２ｂの断面形状に略対応した開口部３４が形成されていることにより、かかる板状体部２２ｂが嵌入、配置されたときに、先端部の下面（開口部３４の板面対向面）が板状体部２２ｂの両側の板面（平坦面）に当接して、それを覆蓋せしめ、板面との間からＨＣＬ１８が抜け出すような隙間が形成されないように、板状体部２２ｂの板面上を閉塞するようになっている。そして、かかるホルダカバー２４の両側部の内側には、図２の（ｂ）や図７の（ｂ），（ｅ）等から明らかなように、ホルダ本体２２の両側のガイド溝３０，３０にそれぞれ嵌入されて、摺動せしめられるガイド突起３６，３６が、長さ方向の全長に亘って設けられているのである。
【００３０】
さらに、ホルダカバー２４の相対向する円弧状部位には、ＨＣＬ１８のレンズ径よりも小さな開口幅において、先端部に開口し、基部側（レンズホルダ２２の基部２２ａに外嵌せしめられる側）に延びるレンズ操作用切欠き部３８，３８が、それぞれ、設けられている。具体的には、かかるレンズ操作用切欠き部３８は、図７（ｂ）乃至（ｄ）から明らかな如く、ホルダカバー２４の先端部において、ＨＣＬ１８のレンズ径よりも小さな開口幅で開口する、外方に拡開したテーパ状開口部３８ａと、このテーパ状開口部３８ａの狭幅部位に連結される基部側の円形形状を呈する円形開口部３８ｂとから構成されて、鍵穴状の平面形態を呈している。そして、このレンズ操作用切欠き部３８のテーパ状開口部３８ａとホルダ本体２２の板状体部２２ｂの断面形状に対応した開口部３４とによって、ホルダカバー２４の先端部が、レンズ操作用切欠き部３８の両側において、それぞれ、舌片状の覆蓋閉塞部となるように分割されて、後述するように、ホルダカバー２４内に導入されるＨＣＬ１８が、外部に抜け出さないようになっているのである。なお、ここでは、かかるホルダカバー２４の先端部がホルダ本体２２の板状体部２２ｂの平坦面に接するように構成されて、ＨＣＬ１８の抜け出しを阻止し得るようになっているが、そのようなＨＣＬ１８の抜け出しを阻止し得る限度において、ホルダカバー２４の先端部と板状体部２２ｂの平坦面との間に僅かな隙間を設けることも可能であり、それによって、より一層、ＨＣＬ１８の押し込み操作を有利に行うことが可能である。
【００３１】
加えて、図７の（ｅ）における拡大図から明らかな如く、ホルダカバー２４の先端部を構成する舌片状の覆蓋閉塞部において、そのホルダ本体２２の板面に対向する部位の外側角部４０が、少なくともレンズ操作用切欠き部３８の開口部位において、ここでは、開口部３４のほぼ全周に亘って、０．３ｍｍ（好ましくは０．４ｍｍ）〜１．０ｍｍ程度の曲率半径を有する外方に凸なる湾曲面を備えた形状において、形成されている。これによって、ＨＣＬ１８が、ホルダカバー２４の先端部（舌片状覆蓋閉塞部）の下側に容易に押し込み入れられて、かかる先端部が上方に容易に持ち上げられ得るようになっていると共に、その際におけるホルダカバー２４の先端部によるＨＣＬ１８のレンズ面に対する損傷が、可及的に回避され得るようになっているのである。
【００３２】
このように、ホルダカバー２４は、ＨＣＬ１８の押し込みによって、その先端部の開口部３４が、ホルダ本体２２の板状体部２２ｂの板面から持ち上げられるように、変形せしめられることとなるものであるところから、その材質としても、変形の容易な軟質の樹脂材質にて成形されていることが望ましく、ここでは、ＬＤＰＥ（低密度ポリエチレン）からなる成形品にて構成されている。このようなＬＤＰＥ製のホルダカバーを用いることによって、ＨＣＬ１８を傷付けることなく、有利に、その内部への導入を実現することが出来るのである。
【００３３】
なお、ホルダカバー２４の基部側に位置する相対向する円弧状部位には、図７（ｃ）及び（ｄ）に示されるように、板状体部２２ｂのそれぞれの側に形成されるレンズ収納室２０，２０に収納されるべき左用及び右用のＨＣＬ１８，１８を表示するためのＬ字透孔４２ａ及びＲ字透孔４２ｂが、それぞれ形成されている。このような、ＨＣＬ１８表示用の透孔４２ａ，４２ｂを設けておくことにより、板状体部２２ｂのそれぞれの側に、二枚のＨＣＬ１８を、左右の間違いなく収納することが出来るようになっているのである。
【００３４】
そして、かかるホルダカバー２４は、図８（ａ）及び（ｂ）に示される如く、ホルダ本体２２の板状体部２２ｂの先端側から、ガイド突起３６がガイド溝３０に嵌入されて案内され、その基部において、ホルダ本体２２の基部２２ａの外周面に嵌合、固定せしめられることにより、ホルダ本体２２に組み付けられて、目的とするレンズホルダ１６が構成されることとなるのである。また、そのようなホルダカバー２４の組み付けによって、ホルダ本体２２の板状体部２２ｂの両側のレンズ配置面２６ａ，２６ａとの間において、円弧状のレンズ収納室２０，２０が形成されることとなる［図２（ａ）及び（ｂ）等参照］。一方、かかるホルダ本体２２の板状体部２２ｂのホルダカバー２４にて覆われていない先端側の平坦面部位が、レンズ摺動案内面２６ｂとして、板状体部２２ｂの両側に形成されることとなるのである。このようなホルダ本体２２とホルダカバー２４との組付け形態においては、図８から明らかなように、ホルダカバー２４の先端部においては、レンズ操作用切欠き部３８の少なくとも先端部に位置する開口部位、即ちテーパ状開口部３８ａの両側部分である舌片状の覆蓋閉塞部が、容易に変形可能となっており、それによって、ＨＣＬ１８が、レンズ摺動案内面２６ｂから押し込まれたときに、容易に上方に持ち上げられて、ホルダカバー２４の内部に案内され得ることとなるのである。
【００３５】
ところで、かくの如き構成のレンズホルダ１６に形成されたレンズ収納室２０内に、ＨＣＬ１８を収納せしめるに際しては、例えば、図９（ａ）に示される如く、かかるＨＣＬ１８を、ホルダ本体２２の板状体部２２ｂにおけるレンズ摺動案内面２６ｂ上に載置した後、ＨＣＬ１８の頂部付近を指先の腹にて少し押し付けつつ、図９（ｂ）において白抜きの矢印で示される左方に摺動させることにより、ＨＣＬ１８の周縁部にてホルダカバー２４の先端部を押し上げ、更にホルダカバー２４に設けられたレンズ操作用切欠き部３８を介して、ＨＣＬ１８に対する押圧力を作用し続けて、レンズ操作用切欠き部３８の案内に従って、ＨＣＬ１８をホルダカバー２４の基部側に摺動せしめることにより、図９（ｃ）に示される如く、ＨＣＬ１８をホルダカバー２４内に収容位置せしめ、以て、ホルダカバー２４とホルダ本体２２の板状体部２２ｂにおけるレンズ配置面２６ａとの間に形成されるレンズ収納室２０内に、収納せしめるようにするのである。
【００３６】
このように、ＨＣＬ１８の収納は、単に、それをホルダ本体２２の板状体部２２ｂにおけるレンズ摺動案内面２６ｂ上に載置し、更にそれを指先にて摺動させることにより、ホルダカバー２４の先端部の下部と板状体部２２ｂの平坦面との間に入り込ませ、そして、変形の容易なホルダカバー２４の先端部を持ち上げることによって、ホルダカバー２４内に、換言すればレンズ配置面２６ａ上に形成されるレンズ収納室２０内に容易に摺動せしめて、収納させることが出来ることとなるのである。その際、本発明にあっては、そのようなＨＣＬ１８の収納操作を容易に行う上において、ＨＣＬ１８が載置されるレンズ摺動案内面２６ｂの板状体部２２ｂの長手方向における長さ、即ち図９における左右方向の長さは、一般に、ＨＣＬ１８のレンズ径の少なくとも７０％以上、好ましくは９０％以上の長さにおいて設けられていることが望ましい。なお、そのようなレンズ摺動案内面２６ｂの長さが長くなり過ぎると、容器本体１２、ひいてはＨＣＬ用収納ケース１０の高さが高くなって、その使用上において不都合が生じるところから、その長さの上限は、実用上から適宜に決定されることとなる。
【００３７】
また、レンズホルダ１６に形成されたレンズ収納室２０内に収納、保持されているＨＣＬ１８を取り出し、眼に装用するに際しては、図８の（ｂ）に示される如く、水平方向に保持されたホルダ本体２２の板状体部２２ｂの下面側のレンズ収納室２０内に収納されているＨＣＬ１８を、レンズ操作用切欠き部３８の大径部を通じて、指先の腹にて押し付けつつ、板状体部２２ｂの先端側に摺動せしめることにより、ＨＣＬ１８の周縁部にてホルダカバー２４の変形の容易な先端部を押し上げて、外部に引き出すようにされ、これによって、指先の腹の上にＨＣＬ１８を載せた状態において、取り出すことが出来るところから、そのままの状態で、直ちに、眼に装用することが可能となるのである。このようにして、ＨＣＬ１８を取り出すことにより、ＨＣＬ１８の指先からの落下を効果的に抑制しつつ、眼に対する装用が容易となるのである。
【００３８】
従って、かくの如き構成のＨＣＬ用収納ケース１０にあっては、そのレンズホルダ１６に形成されたレンズ収納室２０に対して、ＨＣＬ１８を出し入れする際、レンズホルダ１６を構成するホルダ本体２２のレンズ配置面２６ａとレンズ摺動案内面２６ｂとの間を、指先の腹による押圧移動作用によって摺動せしめて、ホルダカバー２４の先端部をＨＣＬ１８にて押し上げることにより、その出し入れを容易に行うことが出来ることとなるのであり、そのために、そのようなＨＣＬ１８の摺動移動は、一本の指の指先にて可能となって、従来の収納ケースの如く、二本の指にてＨＣＬを把持して、一対の挟持アーム間に収納せしめる必要がないところから、ＨＣＬ１８の内面に触れることもなく、その出し入れが容易に出来ることとなり、指先の汚れや細菌がレンズ内面に付着する問題も、効果的に回避され得ることとなるのである。
【００３９】
しかも、そのようなＨＣＬ１８のレンズ収納室２０に対する出し入れは、ホルダカバー２４の先端部を押し上げるようにして、ＨＣＬ１８を摺動せしめることによって、有利に実現され得るものであるところから、従来の一対の挟持アームを用いた構造の如く、ＨＣＬ１８に対して、レンズ径方向の押圧力が作用するのを効果的に回避し得ることとなり、以て、ＨＣＬ１８が変形作用を受けるような問題も、可及的に回避され得ることとなったのである。
【００４０】
また、レンズ収納室２０内に収容、保持されるＨＣＬ１８は、かかるレンズ収納室２０に通じるレンズ操作用切欠き部３８の開口幅が、ＨＣＬ１８のレンズ径よりも小さくなるように構成されているところから、かかるレンズ操作用切欠き部３８を通じて、ＨＣＬ１８が外部に抜け出すようなことも、効果的に阻止され得ることとなるのであり、そのために、従来のホルダ構造における如き特別の抜止め手段の配設も全く必要がなくなり、以て、レンズホルダ１６の構造が有利に簡略化され得て、より実用的なホルダ構造となっているのである。
【００４１】
さらに、かかる図示のＨＣＬ用収納ケース１０にあっては、レンズホルダ１６を構成するホルダ本体２２における板状体部２２ｂには、その中央部に、長手方向に延びる導液スリット２８が設けられているところから、レンズホルダ１６が容器本体１２内に収容されている液体から引き上げられたときに、レンズ収納室２０内に存在する液体が導液スリット２８を通じて容易に外部に排出され得ることとなる他、図１０に示される如く、キャップ１４の上面を下にした状態で、平坦な載置面に載置して、水道水等の洗浄液を、矢印方向から導入するようにすれば、そのような導液スリット２８を通じて、レンズ収納室２０内にも効果的に洗浄液が導き入れられて、そこに収容されているＨＣＬ１８の内面も、そのような洗浄液体の流れにて効果的に濯がれて、効果的な洗浄を施すことが可能となっているところにも、大きな利点を有している。
【００４２】
以上、本発明の代表的な実施形態について詳述してきたが、それは、あくまでも、例示に過ぎないものであって、本発明は、そのような実施形態に係る具体的な記述によって、何等限定的に解釈されるものではないことが、理解されるべきである。
【００４３】
例えば、上記の実施形態においては、キャップ１４とホルダ本体２２とが、樹脂の一体成形品にて構成されて、部品点数の低減に寄与せしめられているが、勿論、それらキャップ１４とホルダ本体２２とを別体の部品にて構成して、それらを、嵌合や螺合等によって一体的に組み付け、固設されてなる構造とすることも可能であり、更にホルダ本体２２の基部２２ａの形状にあっても適宜に選択され、例えば、樹脂成形において惹起されるヒケ対策のために、リブ構造において構成することも可能である。
【００４４】
また、ホルダ本体２２に設けられたストッパとしての二つの突起３２，３２は、一般に、ＨＣＬ１８の中央部がレンズ操作用切欠き部３８における円形開口部３８ｂの略中心に位置するように、レンズ配置面２６ａ上に案内されるＨＣＬ１８を位置決めすることにおいて、有効に機能するものであるが、そのような突起３２は、必須のものではなく、更にはその個数にあっても、適宜に選定され得、またその形態においても、ＨＣＬ１８の摺動移動を阻止して、所定の位置に止めることが出来るものであれば、如何なる形状であっても、何等差支えない。
【００４５】
さらに、レンズホルダ１６におけるホルダ本体２２には、厚肉の板状体部２２ｂが形成されて、その両側の平坦面に対して、装用者の左右のＨＣＬ１８，１８が収納、保持されるレンズ収納室２０が形成されるようになっているが、これに代えて、一枚のＨＣＬ１８を収納するタイプのものとすることも可能である。
【００４６】
加えて、図９においては、ＨＣＬ１８を、ホルダ本体２２の板状体部２２ｂの上側の平坦面におけるレンズ摺動案内面２６ｂ上に載置して、ＨＣＬ１８の収納操作が実施されているが、かかる板状体部２２ｂの下側の平坦面におけるレンズ摺動案内面２６ｂを摺動させて、ＨＣＬ１８を板状体部２２ｂの下側のレンズ配置面２６ａ上に形成されるレンズ収納室２０内に収納せしめることも可能である。その場合においては、指先の腹の上にＨＣＬ１８を載せて、図８（ｂ）に示される取出し手順とは逆の手順に従って、レンズ配置面２６ａ上を摺動、案内せしめられて、レンズ収納室２０内に収納されることとなる。
【００４７】
なお、レンズホルダ１６を構成するホルダカバー２４の材質としては、変形の容易な材質であるＬＤＰＥ（低密度ポリエチレン）が用いられているが、これに代えて、他の公知の変形の容易な樹脂材質を採用することも、何等差支えなく、更にまた、容器本体１２やキャップ１４の外周面形状にあっても、ここでは、意匠効果を高めるべく六角形状や十二角形状とされているが、公知の外周面形状が適宜に採用可能である。
【００４８】
その他、一々列挙はしないが、本発明は、当業者の知識に基づいて、種々なる変更、修正、改良等を加えた態様において実施され得るものであり、更に、そのような実施の態様が、本発明の趣旨を逸脱しない限りにおいて、何れも、本発明の範疇に属するものであることは、言うまでもないところである。
【符号の説明】
【００４９】
１０    ハードコンタクトレンズ用収納ケース
１２    容器本体                      １２ａ  外側ネジ部
１４    キャップ                      １４ａ  天板部
１４ｂ  外周筒部                      １６    レンズホルダ
１８    ハードコンタクトレンズ        ２０    レンズ収納室
２２    ホルダ本体                    ２２ａ  基部
２２ｂ  板状体部                      ２４    ホルダカバー
２５    内部空間                      ２６ａ  レンズ配置面
２６ｂ  レンズ摺動案内面              ２８    導液スリット
３０    ガイド溝                      ３２    突起
３４    開口部                        ３６    ガイド突起
３８    レンズ操作用切欠き部          ３８ａ  テーパ状開口部
３８ｂ  円形開口部                    ４０    外側角部
４２ａ，４２ｂ  透孔
【図１】
2018075253.tif 000003
【図２】
2018075253.tif 000004
【図３】
2018075253.tif 000005
【図４】
2018075253.tif 000006
【図５】
2018075253.tif 000007
【図６】
2018075253.tif 000008
【図７】
2018075253.tif 000009
【図８】
2018075253.tif 000010
【図９】
2018075253.tif 000011
【図１０】
2018075253.tif 000012